【手続補正書】
【提出日】令和1年12月23日(2019.12.23)
【手続補正１】
【補正対象書類名】特許請求の範囲
【補正対象項目名】全文
【補正方法】変更
【補正の内容】
【特許請求の範囲】
【請求項１】
地震時に室内に落下する危険性のある物体の下方に防護ネット１２を張設するためのネット張設構造であり、ネット張設構造は次の構成よりなることを特徴とする防護ネット張設構造。
すなわち、防護ネット張設構造は、
鉄筋コンクリート面２に取り付けたボルト６の下端に連設した円環状のワイヤー通し金具７と、
連結ジョイントワイヤー１１及び該連結ジョイントワイヤー１１の端部に設けた連結金具８並びに連結金具８に連結したネット取付ワイヤー９から構成したネット支持ワイヤーユニットＷとよりなり、
ネット支持ワイヤーユニットＷは、円環上のワイヤー通し金具７の両側方に構成すると共に、ネット取付ワイヤー９には結束線１３を介して防護ネット１２を取付け固定し、しかも、防護ネット１２を張設する室内には防護ネット１２の下方において、室内の落下物の荷重負担に耐え得る強度計算の設計に基づいた位置にネット支持ワイヤーユニットＷを張設し、ネット支持ワイヤーユニットＷの交差部分がボルト６により鉄筋コンクリート面２に連設されるように構成したことを特徴とする。
【手続補正２】
【補正対象書類名】明細書
【補正対象項目名】全文
【補正方法】変更
【補正の内容】
【発明の詳細な説明】
【発明の名称】防護ネット張設構造
【技術分野】
【０００１】
この発明は、室内の上方から落下する危険性のある物体の落下を防止する防護ネット張設構造に関する。
【背景技術】
【０００２】
従来、住宅や特殊木造建築以外のほとんどの建築物の天井は「吊り天井」で構成されており、ボルトに連結して格子状に構成した下地組に石膏ボードや照明器具を載置することで室内の天井面として構成していた。しかし、このように構成された天井面は震災などの災害時に天井面として構成した石膏ボードや照明器具などが落下する虞があり、この虞を解消する手段として下記公報のような技術が開示されている。
【０００３】
例えば、特許文献１には、地震時の上方からの落下物により室内生活者への罹災を防止することができる建築物補強装置について記載されており、具体的には、室内空間を構成する天井面の下部に金属製の網体を配置することで上方からの落下を防止する構成について記載されている。
【０００４】
特許文献２には、天井スラブに垂設した支柱下端部に設けた固定プレートに粘弾性材を介して吊り天井を連結することで地震時の室内天井を構成する部材の変位を該粘弾性材で吸収し、天井材の移動を規制することで天井面を構成する部材の落下を防止する構成について記載されている。
【先行技術文献】
【特許文献】
【０００５】
【特許文献１】特開２００３−１２００４５号公報
【特許文献２】特開２００９−１６７７３７号公報
【発明の開示】
【発明が解決しようとする課題】
【０００６】
しかしながら、いずれの文献に開示された上方からの物体の落下防止構造も、例えば、落下防止構造を網体で構成した上で該網体の張設を考慮したものではない。
【０００７】
そこで、本発明は建築物の天井や照明器具やダクトなど地震時に室内空間内に落下する虞のある物体の下方に取り付け、落下物が室内の床面に落下することを防止する防護ネットを容易に張設できる防護ネット張設構造を提供する。
【課題を解決するための手段】
【０００８】
本発明は、地震時に室内に落下する危険性のある物体の下方に防護ネット１２を張設するためのネット張設構造であり、ネット張設構造は次の構成よりなることを特徴とする防護ネット張設構造。すなわち、防護ネット張設構造は、鉄筋コンクリート面２に取り付けたボルト６の下端に連設した円環状のワイヤー通し金具７と、連結ジョイントワイヤー１１及び該連結ジョイントワイヤー１１の端部に設けた連結金具８並びに連結金具８に連結したネット取付ワイヤー９から構成したネット支持ワイヤーユニットＷとよりなり、ネット支持ワイヤーユニットＷは、円環上のワイヤー通し金具７の両側方に構成すると共に、ネット取付ワイヤー９には結束線１３を介して防護ネット１２を取付け固定し、しかも、防護ネット１２を張設する室内には防護ネット１２の下方において、室内の落下物の荷重負担に耐え得る強度計算の設計に基づいた位置にネット支持ワイヤーユニットＷを張設し、ネット支持ワイヤーユニットＷの交差部分がボルト６により鉄筋コンクリート面２に連設されるように構成したことを特徴とする。
【０００９】
ネット取付ワイヤー９及び防護ネット１２などの落下物荷重に耐えうる強度計算の設計に合わせた個所をボルト６で支持して防護ネット１２の端部及び重ね部分は端部ジョイントワイヤー１４で適正な補正を行いそれぞれ所要手段の結束線１３を介して防護ネット１２をネット取付ワイヤー９に結束することにも特徴を有する。
【００１０】
ワイヤー通し金具７は連結金具８を介してターンバックル１０の一端部と連結し、ターンバックル１０の他端部は連結金具８を介してネット取付ワイヤー９と連結することにも特徴を有する。
【発明の効果】
【００１１】
地震時に室内に落下する危険性のある物体の下方に防護ネット１２を張設するためのネット張設構造であり、防護ネット張設構造は、鉄筋コンクリート面２に取り付けたボルト６の下端に連設した円環状のワイヤー通し金具７と、連結ジョイントワイヤー１１及び該連結ジョイントワイヤー１１の端部に設けた連結金具８並びに連結金具８に連結したネット取付ワイヤー９から構成したネット支持ワイヤーユニットＷとよりなり、ネット支持ワイヤーユニットＷは、円環上のワイヤー通し金具７の両側方に構成すると共に、ネット取付ワイヤー９には結束線１３を介して防護ネット１２を取付け固定し、しかも、防護ネット１２を張設する室内には防護ネット１２の下方において、室内の落下物の荷重負担に耐え得る強度計算の設計に基づいた位置にネット支持ワイヤーユニットＷを張設し、ネット支持ワイヤーユニットＷの交差部分がボルト６により鉄筋コンクリート面２に連設されるように構成したため、連結ジョイントワイヤー１１の円環部を調整することでネット取付ワイヤー９の緊張弛緩の調整を容易とし、さらに、ネット取付ワイヤー９の張設に連動して防護ネット１２の張設を容易に出来る。また、防護ネット１２を張設する上で重量物や特殊な構成を備えていないため、短工期及びローコストで上方からの物体の落下を防止できる。特に、ネット支持ワイヤーユニットＷにより、落下物の重量荷重に十分に耐えうるように防護ネット１２を下方から支持でき、防護ネット１２が強度不足で落下する危険を防御することができる。
【００１２】
また、防護ネット１２はネット取付ワイヤー９の強度計算の設計に合わせた個所をボルト６で支持して、防護ネット１２の端部及び重ね部分は端部ジョイントワイヤー１４で適正な補正を行い、それぞれ所要手段の結束線１３を介して防護ネット１２をネット取付ワイヤー９に結束することとすれば、ネット取付ワイヤー９及び端部ジョイントワイヤー１４の引張力を調整することで防護ネット１２の緊張弛緩状態を容易に変更できる。また、落下物を受け止める際の強度設計に合わせた個所をボルト６で支持して防護ネット１２の落下物を受け止める面積を可及的に拡大した上で確実に上方からの落下物を受け止めることができる。
【００１３】
また、ワイヤー通し金具７は連結金具８を介してターンバックル１０の一端部と連結し、ターンバックル１０の他端部は連結金具８を介してネット取付ワイヤー９と連結することとすれば、確実にネット取付ワイヤー９を連結固定できる。また、ネット取付ワイヤー９は、ワイヤー通し金具７にターンバックル１０を介して固定されているため、ネット取付ワイヤー９にかかる引張力をターンバックル１０で容易に調整し、ネット取付ワイヤー９に連結した防護ネット１２を適切な張り状態にできる。
【図面の簡単な説明】
【００１４】
【図１】本発明の実施形態における防護ネット張設構造を示す斜視図である。
【図２】本発明の実施形態における防護ネット張設構造を示す側面図である。
【図３】本発明の実施形態における防護ネット張設構造を天面の鉄筋コンクリート面に設置した状態を示す側面図である。
【図４】本発明の実施形態の防護ネット張設構造において壁面コンクリート近傍の防護ネット張設構造を示す側面図である。
【図５】本発明の実施形態の防護ネット張設構造においてボルト固定具で天面の鉄筋コンクリート面からボルトを垂設し、ネット取付ワイヤーを張設した状態を示す側面図である。
【図６】本発明の実施形態の防護ネット張設構造において構造用鋼材にボルトを固定し防護ネットを張設した状態を示す側面図である。
【図７】本発明の実施形態の防護ネット張設構造においてＨ型の構造用鋼材にワイヤー通し金具を設置した状態を示す側面図である。
【図８】本発明の実施形態の防護ネット張設構造においてＣ形の構造用鋼材にボルトを固定し防護ネットを張設した状態を示す側面図である。
【図９】本発明の実施形態の防護ネット張設構造においてパイプトラスにワイヤー通し金具を設置した状態を示す側面図である。
【図１０】本発明の実施形態の防護ネット張設構造においてネット取付ワイヤーを端部ジョイントワイヤーを介さずに壁面コンクリートに連結した状態を示す側面図である。
【図１１】本発明の実施形態の防護ネット張設構造において壁面コンクリートに埋設するあと施工アンカーを複数本として防護ネットを張設した状態を示す側面図である。
【図１２】本発明の実施形態の防護ネット張設構造を示す平面図である。
【図１３】本発明の実施形態の防護ネット張設構造においてターンバックルを使用した状態を示す側面図である。
【発明を実施するための形態】
【００１５】
本発明は、地震時に室内に落下する危険性のある物体の下方に防護ネット１２を張設するためのネット張設構造であり、防護ネット張設構造は、鉄筋コンクリート面２に取り付けたボルト６の下端に連設した円環状のワイヤー通し金具７と、連結ジョイントワイヤー１１及び該連結ジョイントワイヤー１１の端部に設けた連結金具８並びに連結金具８に連結したネット取付ワイヤー９から構成したネット支持ワイヤーユニットＷとよりなり、ネット支持ワイヤーユニットＷは、円環上のワイヤー通し金具７の両側方に構成すると共に、ネット取付ワイヤー９には所要手段の結束線１３を介して防護ネット１２を取付け固定し、しかも、防護ネット１２を張設する室内には防護ネット１２の下方において、室内の落下物の荷重負担に耐え得る強度計算の設計に基づいた位置にネット支持ワイヤーユニットＷを必要に応じて格子状に張設し、ネット支持ワイヤーユニットＷの交差部分がボルト６により上方の鉄筋コンクリート面２に連設されるように構成し、また、防護ネット１２はネット取付ワイヤー９の強度計算の設計に合わせた個所にネット取付ワイヤー９と角目を合わせて取り付け、防護ネット１２の端部及び重ね部分は端部ジョイントワイヤー１４で適正な補正を行いそれぞれ所要手段の結束線１３を介して防護ネット１２をネット取付ワイヤー９に結束することを要旨としている。
すなわち、本発明の要旨は、室内の天井面１ａの下方に張設する防護ネット１２の支持構造であり、基本的なネット支持構造は以下の構成よりなる。
（１）鉄筋コンクリート面２に取り付けたボルト６の下端に連設した円環状のワイヤー通し金具７と、
（２）連結ジョイントワイヤー１１及び該連結ジョイントワイヤー１１の端部に設けた連結金具８並びに連結金具８に連結したネット取付ワイヤー９から構成したネット支持ワイヤーユニットＷとよりなり、ネット支持ワイヤーユニットＷは、円環上のワイヤー通し金具７の両側方に構成し、
（３）該ワイヤーユニットＷの両端は対面する室内の壁面コンクリート２´にあと施工アンカ−４を介して連設固定することにより対向する室内の壁面コンクリート２´間にネット支持ワイヤーユニットＷを張設し、
（４）ネット支持ワイヤーユニットＷと防護ネット１２を所定位置で所要手段の結束線１３により一体結束することにより、
（５）防護ネット１２をネット支持ワイヤーユニットＷにより下方から支持する。
かかる防護ネット支持構造において、ネット支持ワイヤーユニットＷの構造は、両端を折返して円環部１１ａを形成して中央は一本の通しワイヤーで構成した連結ジョイントワイヤー１１と、連結ジョイントワイヤー１１の左右の円環部１１ａには環状の連結金具８を連結し、更に環状の連結金具８の左右側方には一端を折返して円環部１１ａに形成した端部ジョイントワイヤー１４の円環部１４ａを連結し、端部ジョイントワイヤー１４の他端は折返して円環部１１ａに形成し環状の連結金具８と連結し、環状の連結金具８は対面する室内の壁面コンクリート２´にあと施工アンカー４を介して連設固定する構造とよりなる。
【００１６】
室内の対面する壁面コンクリート２´間においては、ネット支持ワイヤーユニットＷを防護ネット１２の下方位置に張設して防護ネット１２を下方から支持するための張設構造は次のようになる。
すなわち、防護ネット１２の四辺近傍の下方に位置するように室内の対面する壁面コンクリート２´間に張設して方形状のネット支持枠組みＳを形成すると共に、方形状のネット支持枠組みＳ内方において、更に縦方向や横方向の中間ネット支持ワイヤーユニットＷ１を交叉状に張設し、この交差部の位置を防護ネット１２の落下を受動する際の強度計算の設計により算出した位置としてこの位置で防護ネット１２をネット支持ワイヤーユニットＷに角目を合わせて取り付ける。
【００１７】
方形状のネット支持枠組みＳ内においては、縦方向や横方向に張設する中間ネット支持ワイヤーユニットＷ１は、強度計算の設計により算出した位置と合致するように隣接する中間ネット支持ワイヤーユニットＷ１との間隔を保持して張設する。
かかる縦方向や横方向に張設する中間ネット支持ワイヤーユニットＷ１の交差する部分をボルト６下端のワイヤー通し金具７で吊ることになる。
ワイヤー通し金具７は中間ネット支持ワイヤーユニットＷ１における連結ジョイントワイヤー１１が挿通されて吊る状態となる。
このように防護ネット１２の下方において、縦方向や横方向に張設する中間ネット支持ワイヤーユニットＷ１の交差する部分がボルト６下端のワイヤー通し金具７で吊り下げられて防護ネット１２を下方から支持することになり、中間ネット支持ワイヤーユニットＷ１は強度計算の設計に基づいた位置でボルト６下端のワイヤー通し金具７で吊り下げられるため防護ネット１２の充分な支持が可能となり防護ネット１２が受ける落下物の荷重に耐え得るネット支持強度を保持できる。
【００１８】
天井面１ａの上方に設けた天面の鉄筋コンクリート面２からボルト６を垂設するに際しては、天井裏鉄骨としてのＨ型鋼の鋼材３に、ボルト吊り機構２１を介してボルト６を垂設する。ボルト吊り機構２１は、図６,７に示すように、Ｈ型鋼の鋼材３の水平の横辺板３ｄに嵌着固定する一辺伸延の略Ｕ字状のボルト連結具１８と、伸延した一辺先端部に嵌着固定した略方形状の連結具２０と、連結具２０の先端面に接合してボルト６の上端部を螺着した略Ｌ字状のボルト固定具１９とより構成した。
【００１９】
この発明の具体的な実施形態について図１〜図１３を参照して詳細に説明する。
図１乃至図１３は、本発明の実施形態に係る防護ネット張設構造を示す全体、部分、腰部を示す各図面である。
【００２０】
本発明の防護ネット張設構造１００は、建築物の壁面及び天面を構成する鉄筋コンクリート面２と、天面の鉄筋コンクリート面２の下部に設けた室内空間の天井面１ａと、天面の鉄筋コンクリート面２に垂設したボルト６と、ボルト６の下端に連設したワイヤー通し金具７と、ワイヤー通し金具７の両側方に配した連結ジョイントワイヤー１１や連結ジョイントワイヤー１１を折り返して形成された円環部１１ａや連結金具８を介して円環部１１ａと連結したネット取付ワイヤー９等からなるネット支持ワイヤーユニットＷと、ネット取付ワイヤー９に連結した円環状の結束線１３と、結束線１３を介して取付けた防護ネット１２とで構成している。
しかも、防護ネット１２を張設する室内には防護ネット１２の下方において、室内の落下物の荷重負担に耐え得る強度計算の設計に基づいた位置にネット支持ワイヤーユニットＷを必要に応じて格子状に張設し、ネット支持ワイヤーユニットＷの交差部分がボルト６により鉄筋コンクリート面２に連設されるように構成している。
【００２１】
建築物は鋼材３を枠体として構成しており、該鋼材３に沿って鉄筋コンクリートにて天面の鉄筋コンクリート面２及び壁面コンクリート２´を形成している。鋼材３は、図６,７,８に示すように、Ｈ型鋼、Ｃ型鋼、パイプトラスで構成されている。鋼材３は、下面にボルト６を垂設しており、該ボルト６の下端部に野縁受けを連結し、野縁受けの下面には野縁が直交する向きに連結され、野縁受けと野縁とで平面視格子状に構成している。
【００２２】
野縁の下面には、天井面１ａをビス等で連結固定している。天井面１ａは天面の鉄筋コンクリート面２と略同一形状に構成している。天井面１ａは構成する部材の重量で天井面１ａが落下しないようになるべく軽量な部材で構成されていることが望ましく、例えば、石膏ボードで構成されている。
【００２３】
天面の鉄筋コンクリート面２は、複数の孔２ａが穿設されており、該孔２ａに円筒状のあと施工アンカー４を埋設している。この、あと施工アンカー４は中空状の内周面が螺旋状にねじ切られた雌ネジに構成しており、図２に示すように、一端部を螺旋状にねじ切られた雄ネジ構造を有するボルト６を螺合している。
【００２４】
また、天井面１ａには、天面の鉄筋コンクリート面２に複数穿設した孔２ａと対向する位置に該孔２ａと略同一径の孔１ｄを穿設している。天井面１ａに穿設した孔１ｄには、天面の鉄筋コンクリート面２から垂設したボルト６を挿通している。また、ボルト６の他端部にはワイヤー通し金具７を連結している。
なお、図２においてボルト６は天面の鉄筋コンクリート面２に埋設したあと施工アンカー４に螺合する構成としているが、ボルト６はこの固定形態に限定されることなく、図６、７、８に示すように建造物の躯体として構成した鋼材３にボルト吊り機構２１を介して垂設する構成としても良い。このボルト吊り機構２１は、図６,７に示すように、鋼材３のＨ型鋼の横辺板３ｄに、一辺を伸延したＵ字状のボルト連結具１８を嵌着し伸延した一辺にボルト連結具１８を一体に連設し、ボルト連結具１８にボルト６の頭部を螺着してボルト６を垂設している。
また、図９に示すように、ボルト６は天面の鉄筋コンクリート面２に設けた円筒形の鋼材３に垂設しても良い。
【００２５】
ワイヤー通し金具７は、図２及び図５に示すように、円環状に構成した金属円環部７ａを備えており、該金属円環部７ａに連結ジョイントワイヤー１１やネット取付ワイヤー９や端部ジョイントワイヤー１４や連結金具８等より構成されたネット支持ワイヤーユニットＷを挿通している。
すなわち、円環状のワイヤー通し金具７の両側方には、連結ジョイントワイヤー１１やネット取付ワイヤー９や端部ジョイントワイヤー１４や連結金具８等より構成されたネット支持ワイヤーユニットＷが配されている。
【００２６】
連結ジョイントワイヤー１１は、図２に示すように、複数の金属ワイヤーを捩じり束ねた構成とし、両端部を折り返して円形状の円環部１１ａとして構成している。円環部１１ａは円環状の連結金具８と連結しており、この連結金具８を介してネット取付ワイヤー９と連結している。
【００２７】
ネット取付ワイヤー９は、図４及び図１２に示すように、連結ジョイントワイヤー１１と同様に複数本の金属ワイヤーを捩じり束ねて１本のワイヤー線として構成している。また、ネット取付ワイヤー９は、一定の間隔を設けて格子状に形成しており、それぞれ一端部を連結金具８に連結し、他端部を壁面コンクリート２´に端部ジョイントワイヤー１４を介して連結している。
なお、壁面コンクリート２´には、天井の鉄筋コンクリート面２と同様に複数個所に孔２ｂを穿設し、該孔２ｂにあと施工アンカー４を埋設している。この、あと施工アンカー４には円環状の連結部を備えたアイボルト１７を螺合し、アイボルト１７の円環状の連結部に端部ジョイントワイヤー１４の両端部に形成した円環部１４ａを係合している。このような構成とすることで、ネット取付ワイヤー９を確実に壁面コンクリート２´に固定できる。
また、図３に示すように、ネット取付ワイヤー９は壁面コンクリート２´との連結部近傍の天面の鉄筋コンクリート面２の下面にボルト６を垂設し、ボルト６の先端に連結したワイヤー通し金具７の金属円環部７ａに端部ジョイントワイヤー１４の円環部１４ａを係合することで連結固定してもよい。
また、図５に示すように、ネット取付ワイヤー９は天面の鉄筋コンクリート面２の側面部に孔２ａを穿設し、該孔２ａにあと施工アンカー４を埋設し、この、あと施工アンカー４にボルト止めされた略Ｌ字形のボルト固定具１９を介してボルト６を垂設し、ボルト６の先端に連結したワイヤー通し金具７の金属円環部７ａに端部ジョイントワイヤー１４の円環部１４ａを係合することで連結固定してもよい。
また、ネット取付ワイヤー９の壁面コンクリート２´との他の連結構造は、図１０に示すように、壁面コンクリート２´に設置したアイボルト１７の連結部に連結金具８を介して連結する構成や、図１１に示すように、壁面コンクリート２´に略Ｕ字状の連結部を備えた固定具２２に、該固定具１９の連結部に連結金具８を介して連結固定するように構成してもよい。
【００２８】
また、防護ネット１２を張設する室内には防護ネット１２の下方において、室内の落下物の荷重負担に耐え得る強度計算の設計に基づいた位置にネット支持ワイヤーユニットＷを必要に応じて格子状に張設し、ネット支持ワイヤーユニットＷの交差部分がボルト６により上方の鉄筋コンクリート面２に吊下されるように構成したことを特徴とするものであり、ネット支持ワイヤーユニットＷを構成するネット取付ワイヤー９は平面視略方形状に形成された防護ネット１２の終端部と結束線１３で連結しており、ネット取付ワイヤー９の状態変化と防護ネット１２の状態変化とは連動している。例えば、ネット取付ワイヤー９を緊張状態とした際には防護ネット１２も緊張状態となり、ネット取付ワイヤー９を弛緩状態とした際には防護ネット１２も弛緩状態となる。
また、ネット取付ワイヤー９は、図２に示すように、連結金具８を介して連結ジョイントワイヤー１１と連結しており、連結ジョイントワイヤー１１の両端部の円環部１１ａの全周長によって連結ジョイントワイヤー１１の全長を調整できるようにしている。従って、連結ジョイントワイヤー１１の円環部１１ａの全周長を長くすると連結ジョイントワイヤー１１としての全長は短くなりネット取付ワイヤー９を緊張状態として防護ネット１２を緊張状態にできる。
また、連結ジョイントワイヤー１１の両端部の円環部１１ａの全周長を短くすると連結ジョイントワイヤー１１としての全長は長くなりネット取付ワイヤー９を弛緩状態とし、防護ネット１２も同様に弛緩状態となる。
【００２９】
また、防護ネット１２はネット取付ワイヤー９に所要手段としての結束線１３で連結固定されている。結束線１３はステンレス製の紐体であり、ネット取付ワイヤー９と防護ネット１２とを束ねた状態でその外周を結束線１３で囲繞することで連結固定することができる。結束線１３は防護ネット１２がネット取付ワイヤー９に固定され、ネット取付ワイヤー９の緊張弛緩状態とその張設状態を連動して調整できればよく、ネット取付ワイヤー９に所定の間隔で配置されている。
なお、結束線１３の材質はステンレスに限らず、防護ネット１２に荷重が掛かった際に、結束線１３が切断されて防護ネット１２が下方に落下しない強度を有する素材であれば何でも良く、例えば、鈍し鉄線で構成されていてもよい。
【００３０】
以上のように防護ネット張設構造１００を天面の鉄筋コンクリート面２にあと施工アンカー４を埋設し、該あと施工アンカー４にボルト６を螺設する構成とすることで、ボルト６の下端部に設けたワイヤー通し金具７中を挿通することにより、ワイヤー通し金具７の左右側方に配したネット支持ワイヤーユニットＷの連結ジョイントワイヤー１１中央部を容易に支持することができる。また、この構成は天面の鉄筋コンクリート面２に穿設する孔２ａの数に応じて支持強度を変更することができる。すなわち、天面の鉄筋コンクリート面２に穿設する孔２ａの数に対応して、あと施工アンカー４を該鉄筋コンクリート面２に埋設し、該あと施工アンカー４にボルト６を螺設する構成としているため、孔２ａの数量が増加するとボルト６の下端部に設けたワイヤー通し金具７の数量も同様に増加し、ワイヤー通し金具７を挿通する連結ジョイントワイヤー１１を支持する箇所が増加することでネット取付ワイヤー９を支持する強度が向上する。
なお、ワイヤー通し金具７は連結ジョイントワイヤー１１を支持するだけでなくネット取付ワイヤー９を挿通して、直接にネット取付ワイヤー９を支持する構成として防護ネット１２に引張力が生起した際の支持機構として機能するように配置しても良い。
【００３１】
また、ネット取付ワイヤー９は端部を連結ジョイントワイヤー１１と連結金具８を介して連結しており、連結ジョイントワイヤー１１の円環部１１ａの長さを調整することでネット取付ワイヤー９の張設度合いを適宜調整できる。すなわち、引張力が不足する場合は、円環部１１ａの円環形状を大きくして連結ジョイントワイヤー１１の全長を短くすることでネット取付ワイヤー９の引張力を上昇させる。また、引張力が過剰な場合は、円環部１１ａの円環形状を小さくして連結ジョイントワイヤー１１の全長を長くすることでネット取付ワイヤー９の引張力を低下させる。
従って、防護ネット張設構造１００は天面の鉄筋コンクリート面２に垂設したボルト６の本数と連結ジョイントワイヤー１１の本数と連結ジョイントワイヤー１１の円環部１１ａの全周長を調整することで天井面１ａの下方に設けた防護ネット１２を適切な引張状態及び引張強度となるように設置できる。
【００３２】
また、ネット取付ワイヤー９の引張力を調整する別の方法としてターンバックル１０を連結ジョイントワイヤー１１と併用しても良い。
ターンバックル１０は、張設用のターンバックル本体１０ａと、ターンバックル本体１０ａの両端部にアイボルト１０ｂを螺合して構成している。
図１３に示すように、ターンバックル本体１０ａの一端部はボルト６の下端部に連結したワイヤー通し金具７に連結金具８を介して連結固定し、他端部はネット取付ワイヤー９に連結金具８を介して連結している。
【００３３】
このように構成することで、防護ネット１２の引張力が不足している場合、ワイヤー通し金具７に連結したターンバックル本体１０ａをターンバックル本体１０ａに螺合したアイボルト１０ｂが締まる方向に回転させることでネット取付ワイヤー９に引張力を付与し、防護ネット１２に所定の張りを生起することができる。
また、防護ネット１２の引張力が過剰である場合、ワイヤー通し金具７に連結したターンバックル本体１０ａをターンバックル本体１０ａに螺合したアイボルト１０ｂが弛む方向に回転させることでネット取付ワイヤー９の引張力を弱めて、防護ネット１２が所定の張りとなるように調整できる。
【００３４】
上述したように、ターンバックル１０をワイヤー通し金具７とネット取付ワイヤー９との間に設置することで、連結ジョイントワイヤー１１の円環部１１ａの全周長を調整することでネット取付ワイヤー９にかかる引張力を調整すると共に、ターンバックル１０を補助的に利用することで防護ネット１２にかかる引張力を微調整して防護ネット１２に所定の張りを付与することを容易とする。また、ターンバックル１０の張力が弛んだ場合に防護ネット１２の張力はネット支持ワイヤーユニットＷにより支持することができる。
【００３５】
なお、本発明は上述した実施形態に限られず、上述した実施形態の中で開示した各構成を相互に置換したり組合せを変更したりした構成、公知発明並びに上述した実施形態の中で開示した各構成を相互に置換したり組合せを変更したりした構成、等も含まれる。また、本発明の技術的範囲は上述した実施形態に限定されず、特許請求の範囲に記載された事項とその均等物まで及ぶものである。
【符号の説明】
【００３６】
Ｓ      ネット支持枠組み
Ｗ      ネット支持ワイヤーユニット
Ｗ１    中間ネット支持ワイヤーユニット
１ａ    天井面
１ｄ    孔
２      鉄筋コンクリート面
２´    壁面コンクリート
２ａ,２ｂ  孔
３      鋼材
３ｄ    横辺板
４      あと施工アンカー
６      ボルト
７      ワイヤー通し金具
７ａ    金属円環部
８      連結金具
９      ネット取付ワイヤー
１０    ターンバックル
１０ａ  ターンバックル本体
１０ｂ  アイボルト
１１    連結ジョイントワイヤー
１１ａ  円環部
１２    防護ネット
１３    結束線
１４    端部ジョイントワイヤー
１４ａ  円環部
１７    アイボルト
１８    ボルト連結具
１９    ボルト固定具
２０    連結具
２１    ボルト吊り機構
２２    固定具
１００  防護ネット張設構造